(57)【要約】【課題】効率的に球速を向上させる投球トレーニングを実施することが可能となる投球トレーニング用具を提供する。【解決手段】本発明に係る投球トレーニング用具は、パッドと、パッドに接続され、かつパッドを使用者の股関節に固定するための固定部とを備える。投球者が適切な投球動作を行った場合に、パッドが使用者の股関節に挟み込まれる。この挟み込みに伴う圧迫感を体感を介して、使用者は自らが適切な投球動作を行っていることを体感することができる。【選択図】図１
2017158797.tif 000002
【特許請求の範囲】
【請求項１】
パッドと、
前記パッドに接続され、かつ前記パッドを使用者の股関節に固定するための固定部とを備える、投球トレーニング用具。
【請求項２】
前記パッドは、使用者の股関節に接触する側の面である下面と、前記下面の反対側の面である上面とを有しており、
前記パッドは、前記上面側に段差を有している、請求項１に記載の投球トレーニング用具。
【請求項３】
第１のパッドと、
第２のパッドと、
前記第１のパッド及び前記第２のパッドに接続され、前記第１のパッドを使用者の下腹部に固定し、前記第２のパッドを使用者の大腿部に固定する固定部とを備える、投球トレーニング用具。
【請求項４】
前記第１のパッド及び前記第２のパッドの各々は、使用者の下腹部又は大腿部に接触する側の面である下面と、前記下面の反対側の面である上面とを有し、
前記第１のパッド及び前記第２のパッドの一方は、前記上面に凸部を有し、
前記第１のパッド及び前記第２のパッドの他方は、前記上面に凹部を有する、請求項３に記載の投球トレーニング用具。
【請求項５】
前記第１のパッド及び前記第２のパッドの各々は、内部に内部部材を有し、
前記凸部及び前記凹部は、前記内部部材よりも硬度が高い硬質部材を含んでいる、請求項４に記載の投球トレーニング用具。
【発明の詳細な説明】
【技術分野】
【０００１】
本発明は、投球トレーニング用具、特に野球の投球トレーニング用具に関する。
【背景技術】
【０００２】
投球動作のトレーニングの主な目的の一つは、球速の向上である。投球動作は、上肢の動作と、体幹の動作と、下肢の動作とを含んでいる。このうち、体幹の動作及び下肢の動作は、球速に与える影響が大きい（例えば非特許文献１）。そのため、投球のトレーニングにおいては、体幹の動作及び下肢の動作を改善することが重要となる。
【０００３】
従来、投球動作における体幹の動作及び下肢の動作の改善は、主に指導者による言語的指導によりなされてきた。
【先行技術文献】
【非特許文献】
【０００４】
【非特許文献１】Ｔｏｙｏｓｈｉｍａ  Ｓｈｉｎｇｏ  ｅｔ  ａｌ．「Ｃｏｎｔｒｉｂｕｔｉｏｎ  ｏｆ  ｔｈｅ  ｂｏｄｙ  ｐａｒｔｓ  ｔｏ  ｔｈｒｏｗｉｎｇ  ｐｅｒｆｏｍａｎｃｅ」Ｂｉｏｍｅｃｈａｎｉｃｓ  ＩＶ（１９７４年）１６９頁〜１７４頁
【発明の概要】
【発明が解決しようとする課題】
【０００５】
しかしながら、指導者による言語的指導によっては、投球のトレーニングを行っている者が、指導者による指導内容を実践できているのか（すなわち、適切な体幹の動作及び下肢の動作を実現できているのか）を体感することが困難である。その結果、投球のトレーニングの効果が十分に得られない場合がある。
【０００６】
本発明は、このような従来技術の問題点に鑑みてなされたものである。具体的には、本発明は、投球のトレーニングを行う者が自ら適切な体幹の動作及び下肢の動作を実現できていることを体感することにより、効率的に球速を向上させる投球トレーニングを実施することが可能となる投球トレーニング用具を提供する。
【課題を解決するための手段】
【０００７】
本発明に係る投球トレーニング用具は、パッドと、パッドに接続され、かつパッドを使用者の股関節に固定するための固定部を有している。
【発明の効果】
【０００８】
本発明によると、投球のトレーニングを行う者が、自ら適切な体幹の動作及び下肢の動作を実現するために必要な体幹と下肢の位置関係を認識し、修正する補助ができる。
【図面の簡単な説明】
【０００９】
【図１】第１の実施形態に係る投球トレーニング用具の上面図である。
【図２】第１の実施形態に係る投球トレーニング用具の側面図である。
【図３】第１の実施形態に係る投球トレーニング用具の着用状態を示す図である。
【図４】投球動作の概要を示す模式図である。
【図５】第１の実施形態に係る投球トレーニング用具を用いた投球トレーニング試験の結果を示す図である。
【図６】第２の実施形態に係る投球トレーニング用具の上面図である。
【図７】図６のＶＩＩ−ＶＩＩ断面の断面図である。
【図８】図６のＶＩＩＩ−ＶＩＩＩ断面の断面図である。
【図９】第２の実施形態に係る投球トレーニング用具の着用状態を示す図である。
【図１０】第３の実施形態に係る投球トレーニング用具の上面図である。
【図１１】図１０のＸＩ−ＸＩ断面の断面図である。
【図１２】図１０のＸＩＩ−ＸＩＩ断面の断面図である。
【図１３】第４の実施形態に係る投球トレーニング用具の上面図である。
【図１４】図１３のＸＩＶ−ＸＩＶ断面の断面図である。
【図１５】図１３のＸＶ−ＸＶ断面の断面図である。
【発明を実施するための形態】
【００１０】
以下、実施形態について、図を参照して説明する。なお、各図中同一または相当部分には同一符号を付している。また、以下に記載する実施形態の少なくとも一部を任意に組み合わせてもよい。
【００１１】
（第１の実施形態）
以下に、第１の実施形態に係る投球トレーニング用具の構造について説明する。
【００１２】
図１は、第１の実施形態に係る投球トレーニング用具の上面図である。図１に示すように、第１の実施形態に係る投球トレーニング用具は、パッド１と、固定部２とを有している。パッド１は、パッド本体１１と、連結部１２とを有している。固定部２は、連結部１２において、パッド１に接続されている。
【００１３】
パッド１の上面１１ａ（図２参照）側には、段差１１ｃが設けられていてもよい。段差１１ｃを設けることにより、パッド１を容易に曲げることができる。そのため、段差１１ｃを設けることにより、パッド１を使用者の身体にフィットさせた状態で固定することが可能となる。なお、段差１１ｃは、複数設けられていてもよい。段差１１ｃは、パッド本体１１の長手方向に交差する方向に形成されていることが好ましい。なお、パッド本体１１の長手方向とは、パッド本体１１の相対的に幅の大きい方向である。
【００１４】
パッド本体１１は、弾性部材が用いられる。弾性部材は、例えば樹脂材料である。樹脂材料は、例えばポリエチレン、ウレタン等の熱硬化性樹脂、ＥＶＡ（エチレン−酢酸ビニル共重合樹脂）等の熱可塑性樹脂、及びそれらの発泡体である。
【００１５】
パッド本体１１が柔らかすぎる場合、使用者はパッド１が股関節に挟み込まれていることを感じにくい。他方で、パッド本体１１が硬すぎると、パッド１が投球動作の妨げとなる。そのため、パッド本体１１の硬度は、好ましくはアスカーＦスケールにおいて２０以上８０以下である。さらに好ましくは、パッド本体１１の硬度は、アスカーＦスケールにおいて３０以上６０以下である。なお、硬度は、ＪＩＳ  Ｋ  ６２５３に準拠した測定方法により測定される。
【００１６】
図２は、第１の実施形態に係る投球トレーニング用具の側面図である。図２に示すように、パッド本体１１は、上面１１ａと、下面１１ｂとを有している。下面１１ｂは、使用者の身体に接触する側の面である。上面１１ａは、下面１１ｂの反対側の面である。
【００１７】
パッド本体１１は、本体高さｈ１を有している。また、段差１１ｃは、段差高さｈ２を有している。本体高さｈ１は、好ましくは３０ｍｍ以上６０ｍｍ以下である。その場合、段差高さｈ２は、５ｍｍ以上２０ｍｍ以下であることが好ましい。
【００１８】
固定部２は、パッド１を使用者の身体に固定するための部材である。第１の実施形態に係る投球トレーニング用具においては、固定部２は、パッド１を使用者の股関節近傍に固定するために設けられている。固定部２は、好ましくは、股関節固定部２ａ（図３参照）と、腰固定部２ｂ（図３参照）とを有している。股関節固定部２ａは、股関節の周囲に巻き付けられる帯状の部材である。腰固定部２ｂは、下腹部の周囲に巻き付けられる帯状の部材である。固定部２には、伸縮性を有する素材が用いられる。固定部２には、例えば合成繊維からなる素材が用いられる。固定部２には、例えば、ゴム素材を含むナイロン、アクリル、ポリエステル、ポリプロピレン等の合成繊維が用いられる。
【００１９】
図３は、第１の実施形態に係る投球トレーニング用具の着用状態を示す図である。図３に示すように、股関節固定部２ａは、使用者の股関節の周囲に巻き付けられる。腰固定部２ｂは、使用者の下腹部の周囲に巻き付けられる。これにより、パッド１が２方向において股関節近傍に固定される。そのため、第１の実施形態に係る投球トレーニング用具の使用時に、パッド１が股関節近傍からずれてしまうことを抑制することができる。
【００２０】
但し、固定部２の構造はこれに限られるものではない。例えば、固定部２は、腰固定部２ｂを有していなくてもよい。すなわち、固定部２は、パッド１を、使用者の股関節近傍に固定することができる部材であれば足りる。
【００２１】
以下に、第１の実施形態に係る投球トレーニング用具の効果について説明する。
投球動作は、投球者が直立した状態から開始される。
【００２２】
図４は、投球動作の概要を示す模式図である。図４（Ａ）に示すように、投球動作が開始されると、投球者は、股関節を屈曲させることにより、一方の脚を持ち上げる。以下においては、接地したままの方の脚を支持脚といい、持ち上げられる方の脚を非支持脚という。図４（Ｂ）に示すように、その後、投球者は、非支持脚を持ち上げた状態で、重心を前方移動させる。これにより、投球者の骨盤が前方に向かって加速する。
【００２３】
投球者は、重心を前方移動させながら、徐々に非支持脚を下していく。その結果、図４（Ｃ）に示すように、非支持脚が接地する。非支持脚が接地することにより、骨盤の前方への移動は、骨盤の回転運動に転換される。
【００２４】
この骨盤の回転運動は、図４（Ｄ）に示すように、体幹を介して上肢に伝達される。上肢に伝達された回転運動により、投球者が保持しているボールが加速される。その結果、図４（Ｅ）に示すように、投球者の手からボールがリリースされる。
【００２５】
以上の投球のメカニズムから、投球者が球速を向上させるためには、まず骨盤の前方への加速をできる限り長く続けることが必要である。骨盤の前方移動が、最終的には投球者が保持するボールの加速につながるからである。
【００２６】
そして、骨盤の前方への加速を長く行うためには、できる限り非支持脚を持ち上げた状態を長く維持することが必要である。非支持脚を直ぐに下してしまえば、骨盤の前方へ加速させる時間が短くなり、骨盤の前方への加速が不十分となるからである。
【００２７】
また、投球者が球速を向上させるためには、非支持脚を、股関節を中心として内転、内旋させる必要がある。これにより、体幹の回転半径が小さくなる。体幹の回転半径が小さくなると、体幹の回転運動の速度が高まる。体幹の回転速度が高まれば、体幹の延長上にある上肢の回転速度も高まる。その結果、投球者が保持しているボールの速度も高まるからである。
【００２８】
第１の実施形態に係る投球トレーニング用具の使用者が骨盤の前方への加速を長く行う場合、すなわち、できる限り非支持脚を持ち上げた状態を維持している場合、パッド１は使用者の股関節により挟み込まれた状態となっている。そのため、第１の実施形態に係る投球トレーニング用具の使用者は、股関節に圧迫感を感じることになる。
【００２９】
第１の実施形態に係る投球トレーニング用具の使用者が体幹の回転半径を小さくする場合、すなわち、非支持脚を股関節を中心として内側に絞り込む動作を行う場合、パッド１は使用者の股関節により挟み込まれた状態となる。そのため、第１の実施形態に係る投球トレーニング用具の使用者は、股関節に圧迫感を感じることになる。
【００３０】
すなわち、適切な投球動作が行われている場合、使用者は股関節近傍に圧迫感を感じることになる。このような股関節の圧迫感を介して、使用者は自らが適切な投球動作を行っていることを体感することができる。
【００３１】
指導者は、使用者に対して、非支持脚を持ち上げることによって生じる股関節近傍に圧迫感を感じる状態を長く維持するように指導すればよい。また、指導者は、使用者に対して、非支持脚が接地した際に股関節近傍に圧迫感を感じるように非支持脚を内転、内旋するように指導すればよい。このような指導により、圧迫感を介して、具体的な投球動作を認識させやすい。
【００３２】
そのため、第１の実施形態に係る投球トレーニング用具によると、より効果的に球速を向上させるための投球トレーニングを実施することが可能となる。
【００３３】
他方、第１の実施形態に係る投球トレーニング用具を使用しない場合、指導者は、適切な投球動作について、言語に頼った指導を行わざるを得ない。また、投球者は、このような言語的な指導を受けたとしても、具体的な投球動作を理解することは容易ではない。さらに、投球者自身が適切な投球動作を行えているのかを認識することも容易ではない。
【００３４】
そのため、第１の実施形態に係る投球トレーニング用具を用いない場合、効果的な球速を向上させるためのトレーニングを実施することは困難である。
【００３５】
以下に、第１の実施形態に係る投球トレーニング用具を用いた投球トレーニング試験の結果について説明する。
【００３６】
この投球トレーニング試験は、４人の被験者に対して行われた。この４人の被験者は、いずれも野球の経験者が少ない者である。すなわち、この４人の被験者は、投球トレーニングを十分に実施したことのない者である。
【００３７】
この投球トレーニング試験においては、被験者の球速の測定が行われた。この球速測定は、被験者が第１の実施形態に係る投球トレーニング用具を装着した状態及び被験者が第１の実施形態に係る投球トレーニング用具を装着しない状態で行われた。被験者が第１の実施形態に係る投球トレーニング用具を装着した状態での球速測定と、被験者が第１の実施形態に係る投球トレーニング用具を装着しない状態での球速測定は、２日に分けて行われた。
【００３８】
投球動作の習熟などの順序による効果を排除するため、４人の被験者のうち２人の被験者については、初日に第１の実施形態に係る投球トレーニング用具を装着した状態での球速測定を行い、２日目に第１の実施形態に係る投球トレーニング用具を装着しない状態での球速測定を行った。残りの２名の被験者については、初日に第１の実施形態に係る投球トレーニング用具を装着しない状態での球速測定を行い、２日目に第１の実施形態に係る投球トレーニング用具を装着した状態での球速測定を行った。
【００３９】
まず、第１の実施形態に係る投球トレーニング用具を装着しない状態での球速測定の条件の詳細について説明する。球速測定は、３回行われた。各々の球速測定における投球数は、５球である。１回目の球速測定は、投球フォームについての指導を行うことなく実施された。１回目の球速測定の後、２回目の球速測定の前に、指導者は被験者に対し、適切な投球フォームについての言語的指導を行った。３回目の球速測定は、投球フォームについての指導を行うことなく実施された。
【００４０】
続いて、第１の実施形態に係る投球トレーニング用具を装着した状態での球速測定の条件の詳細について説明する。球速測定は、３回行われた。各々の球速測定における投球数は、５球である。１回目の球速測定は、第１の実施形態に係る投球トレーニング用具を装着することなく、かつ投球フォームについての指導を行うことなく実施された。
【００４１】
１回目の球速測定の後、２回目の球速測定の前に、被験者は第１の実施形態に係る投球トレーニング用具を装着した。また、１回目の球速測定の後、２回目の球速測定の前に、被験者は第１の実施形態に係る投球トレーニング用具についての説明を受けた。具体的には、被験者は、非支持脚を持ち上げることによって生じる股関節近傍に圧迫感を感じる状態を長く維持するよう指導を受けた。さらに、被験者は、非支持脚が接地した際に股関節近傍に圧迫感を感じるように非支持脚を内転、内旋させるよう指導を受けた。３回目の球速測定は、第１の投球トレーニング用具を外した状態で、投球フォームについての指導を行うことなく実施された。
【００４２】
図５は、第１の実施形態に係る投球トレーニング用具を用いた投球トレーニング試験の結果を示す図である。図５の縦軸は、第１回目の球速測定結果に対する球速の変化比率を示している。図５に示すように、第１の実施形態に係る投球トレーニング用具を装着しない状態で行った球速測定に関しては、３回の球速測定を通じて球速の変化はほぼ見られなかった。
【００４３】
他方、第１の実施形態に係る投球トレーニング用具を装着した状態で行われた球速測定に関しては、２回目及び３回目の球速測定において、球速の向上が見られた。より具体的には、２回目の球速測定においては、第１回目の球速測定と比較して６％程度の球速向上が見られた。また、３回目の球速測定においては、第１回目の球速測定と比較して、７％程度の球速向上が見られた。
【００４４】
このことから、第１の実施形態に係る投球トレーニング用具によると、効果的に球速を向上させるための投球トレーニングを実施することが可能であると確認された。なお、ある程度投球動作を把握している野球の経験者も、第１の実施形態に係る投球トレーニング用具を用いた投球トレーニングを継続実施することで、より適正な投球動作を身に着けることができる。そのため、野球の経験者に対しても、第１の実施形態に係る投球トレーニング用具を用いた投球トレーニングは効果的である。
【００４５】
（第２の実施形態）
以下に、第２の実施形態に係る投球トレーニング用具の構造について説明する。なお、ここでは、第１の実施形態と異なる点について主に説明する。
【００４６】
図６は、第２の実施形態に係る投球トレーニング用具の上面図である。図６に示すように、第２の実施形態に係る投球トレーニング用具は、第１の実施形態に係る投球トレーニング用具と同様、パッド１と、固定部２とを有している。しかしながら、第２の実施形態に係る投球トレーニング用具においては、第１の実施形態に係る投球トレーニング用具と異なり、パッド１が、第１のパッド１６と第２のパッド１７とを有している。
【００４７】
第１のパッド１６は、平面視において長円形状を有している。但し、第１のパッド１６の平面形状はこれに限られるものではない。例えば、第１のパッド１６は、平面視において楕円形状を有していてもよい。また、例えば、第１のパッド１６は、矩形形状を有していてもよい。第２のパッド１７は、平面視において長円形状を有している。但し、第２のパッド１７の平面形状はこれに限られるものではない。例えば、第２のパッド１７は、平面視において楕円形状を有していてもよい。また、例えば、第２のパッド１７は、矩形形状を有していてもよい。
【００４８】
図７は、図６のＶＩＩ−ＶＩＩ断面における断面図である。図７に示すように、第１のパッド１６は、表面部材１３ａと、内部部材１４ａとを有している。内部部材１４ａの表面は、表面部材１３ａにより覆われている。表面部材１３ａには、例えば、ポリエステルの基布にポリウレタンを塗布した合成皮革が用いられる。第１のパッド１６は、第１の高さＨ１を有している。
【００４９】
内部部材１４ａには、弾性部材が用いられる。弾性部材は、例えば樹脂材料である。樹脂材料は、例えばポリエチレン、ウレタン等の熱硬化性樹脂、ＥＶＡ（エチレン−酢酸ビニル共重合樹脂）等の熱可塑性樹脂、及びそれらの発泡体である。好ましくは、内部部材１４ａの硬度は、アスカーＦスケールにおいて１０以上８０以下である。特に好ましくは、内部部材１４ａの硬度は、アスカーＦスケールにおいて３０以上６０以下である。
【００５０】
第１の高さＨ１は、第１のパッド１６及び第２のパッド１７が使用者の大腿部及び下腹部にそれぞれ装着され、かつ使用者が非支持脚を持ち上げた際及び使用者が接地した非支持脚を内側に絞り込む動作を行った際に、第１のパッド１６及び第２のパッド１７が相互に接触するように設定されることが好ましい。具体的には、第１の高さＨ１は、３０ｍｍ以上８０ｍｍ以下であることが好ましい。
【００５１】
第１のパッド１６は、下面１６ｂ側に、台座部材１５ａを有していてもよい。台座部材１５ａは、好ましくは内部部材１４ａよりも硬度が高い。台座部材１５ａには、ＥＶＡ等の熱可塑性樹脂、ポリウレタン等の熱硬化性樹脂及びその発泡体が用いられる。台座部材１５ａの硬度は、アスカーＣスケールにおいて１０以上７０以下であることが好ましい。台座部材１５ａの硬度は、アスカーＣスケールにおいて２０以上７０以下であることが特に好ましい。これにより、第１のパッド１６の形状を維持することが可能となる。また、これにより、第１のパッド１６の身体に対するフィット感が得られる。
【００５２】
台座部材１５ａは、第３の高さＨ３を有している。第３の高さＨ３は、投球動作の妨げにならない程度の高さであることが好ましい。具体的には、第３の高さＨ３は、３ｍｍ以上２０ｍｍ以下であることが好ましい。第３の高さＨ３は、３ｍｍ以上１０ｍｍ以下であることが特に好ましい。
【００５３】
第１のパッド１６は、上面１６ａと、下面１６ｂとを有している。下面１６ｂは、使用者の身体に接触する側の面である。上面１６ａは、下面１６ｂの反対側の面である。下面１６ｂは、上面１６ａ側に凸の曲面となっていてもよい。これにより、第１のパッド１６を使用者の大腿表面に沿うように装着させることが可能となる。
【００５４】
図８は、図６のＶＩＩＩ−ＶＩＩＩ断面における断面図である。図８に示すように、第２のパッド１７は、表面部材１３ｂと、内部部材１４ｂとを有している。内部部材１４ｂの表面は、表面部材１３ｂにより覆われている。表面部材１３ｂには、例えばポリエステルの基布にポリウレタンを塗布した合成皮革が用いられる。第２のパッド１７は、第２の高さＨ２を有している。
【００５５】
第２の高さＨ２は、第１のパッド１６及び第２のパッド１７が使用者の大腿部及び下腹部にそれぞれ装着され、かつ使用者が非支持脚を持ち上げた際及び使用者が接地した非支持脚を内側に絞り込む動作を行った際に、第１のパッド１６及び第２のパッド１７が相互に接触するように設定されることが好ましい。より具体的には、第２の高さＨ２は、３０ｍｍ以上８０ｍｍ以下であることが好ましい。
【００５６】
内部部材１４ｂには、弾性部材が用いられる。弾性部材は、例えば樹脂材料である。樹脂材料は、例えばポリエチレン、ウレタン、ＥＶＡ（エチレン−酢酸ビニル共重合樹脂）である。内部部材１４ｂの硬度は、好ましくは、アスカーＦスケールにおいて１０以上８０以下である。特に好ましくは、内部部材１４ｂの硬度は、アスカーＦスケールにおいて３０以上６０以下である。
【００５７】
第２のパッド１７は、下面１７ｂ側に、台座部材１５ｂを有していてもよい。台座部材１５ｂは、好ましくは内部部材１４ｂよりも硬度が高い。これにより、第２のパッド１７の形状を維持することが可能となる。また、これにより、第２のパッド１７の身体へのフィット感が得られる。台座部材１５ｂは、第４の高さＨ４を有している。第４の高さＨ４は、投球動作の妨げにならない程度の高さであることが好ましい。第４の高さＨ４は、３ｍｍ以上２０ｍｍ以下であることが好ましい。第４の高さＨ４は、３ｍｍ以上１０ｍｍ以下であることが特に好ましい。
【００５８】
図９は、第２の実施形態に係る投球トレーニング用具の着用状態を示す図である。図９に示すように、第１のパッド１６は、固定部２を使用者の大腿上部の周囲に巻き付けることにより、使用者の大腿上部に装着される。第２のパッド１７は、固定部２を使用者の下腹部の周囲に巻き付けることにより、使用者の下腹部に装着される。但し、固定部２の構造はこれに限られるものではない。固定部２は、第１のパッド１６を、使用者の大腿上部近傍に固定することができ、第２のパッド１７を下腹部の近傍に固定することができる部材であれば足りる。
【００５９】
以下に、第２の実施形態に係る投球トレーニング用具の効果について説明する。
上記のとおり、第２の実施形態に係る投球トレーニング用具の第１のパッド１６は、固定部２により、使用者の大腿上部に装着されている。また、上記のとおり、第２の実施形態に係る投球トレーニング用具の第２のパッド１７は、固定部２により使用者の下腹部に装着されている。そのため、非支持脚を持ち上げた状態を維持することにより、第１のパッド１６及び第２のパッド１７が相互に接触する。また、非支持脚が接地した状態で非支持脚を内側に絞り込む動作を行うことにより、第１のパッド１６及び第２のパッド１７が相互に接触する。
【００６０】
このような接触により、使用者は、大腿上部及び下腹部に圧迫感を感じることになる。したがって、適切な投球動作が行われている場合、使用者は大腿上部及び下腹部に圧迫感を感じることになる。このような股関節の圧迫感を介して、使用者は自らが適切な投球動作を行っていることを体感することができる。
【００６１】
指導者は、使用者に対して、非支持脚を持ち上げた状態で大腿上部及び下腹部に圧迫感を感じる状態を長く維持するように指導を行えばよい。また、指導者は、使用者に対し、非支持脚が接地した状態で大腿上部及び下腹部に圧迫感を感じるように非支持脚を内側に絞り込むよう指導を行えばよい。このような指導により、圧迫感を介して、具体的な投球動作を認識させやすい。
【００６２】
そのため、第２の実施形態に係る投球トレーニング用具によると、効果的に球速を向上させるための投球トレーニングを実施することが可能となる。
【００６３】
（第３の実施形態）
以下に、第３の実施形態に係る投球トレーニング用具の構造について説明する。なお、ここでは、第２の実施形態と異なる点について主に説明する。
【００６４】
図１０は、第３の実施形態に係る投球トレーニング用具の上面図である。図１０に示すように、第３の実施形態に係る投球トレーニング用具は、第２の実施形態に係る投球トレーニング用具と同様に、第１のパッド１６と第２のパッド１７とを含むパッド１と、固定部２とを有している。
【００６５】
しかしながら、第３の実施形態に係る投球トレーニング用具のパッド１は、第１のパッド１６凸部１６ｃを有している点及び第２のパッド１７が凹部１７ｃを有している点において第２の実施形態に係る投球トレーニング用具と異なっている。
【００６６】
図１１は、図１０のＸＩ−ＸＩ断面における断面図である。図１１に示すように、第１のパッド１６の上面１６ａには、凸部１６ｃが形成されている。図１２は、図１０のＸＩＩ−ＸＩＩ断面における断面図である。図１２に示すように、第２のパッド１７は、上面１７ａと、下面１７ｂとを有している。下面１７ｂは、使用者の身体に接触する側の面である。上面１７ａは、下面１７ｂの反対側の面である。第２のパッド１７の上面１７ａには、凹部１７ｃが形成されている。
【００６７】
凸部１６ｃ及び凹部１７ｃは、第３の実施形態に係る投球トレーニング用具を装着した使用者が非支持脚を適切に持ち上げた際及び接地した非支持脚を内側に絞り込む動作を適切に行った際に対向する位置に設けられている。
【００６８】
以下に、第３の実施形態に係る投球トレーニング用具の効果について説明する。
上記のとおり、凸部１６ｃ及び凹部１７ｃは、第３の実施形態に係る投球トレーニング用具を装着した使用者が非支持脚を適切に持ち上げた際及び接地した非支持脚を内側に絞り込む動作を適切に行った際に対向する位置に設けられている。そのため、第３の実施形態に係る投球トレーニング用具の使用者が適切な投球動作を行えば、凸部１６ｃが凹部１７ｃに嵌り込むことになる。
【００６９】
他方、適切な投球動作が行われない場合、凸部１６ｃが凹部１７ｃに嵌り込まない。このような違いを体感することにより、第３の実施形態に係る投球トレーニング用具の使用者は、自らの投球動作が適切なものであるかを、より確実に体感することが可能となる。
【００７０】
そのため、第３の実施形態に係る投球トレーニング用具によると、球速を向上させるための投球トレーニングをより効果的に実施することが可能となる。
【００７１】
以下に、第３の実施形態の変形例に係る投球トレーニング用具について説明する。
第３の実施形態に係る投球トレーニング用具においては、凸部１６ｃが第１のパッド１６に設けられ、凹部１７ｃが第２のパッド１７に設けられているが、凹部は第１のパッド１６に設けられ、凸部は第１パッドに設けられていてもよい。この構成によっても、第３の実施形態と同様の効果を奏する。
【００７２】
第１のパッド１６及び第２のパッド１７の双方に、凸部が設けられていてもよい。この場合、適切な投球動作が行われる場合は、第１のパッド１６及び第２のパッド１７に設けられた凸部が相互に接触するが、適切な投球動作が行われていない場合は、第１のパッド１６及び第２のパッド１７に設けられた凸部が相互に接触しない。そのため、このような構成によっても、このような違いを体感することにより、投球トレーニング用具の使用者は、自らの投球動作が適切なものであるかを、より確実に体感することが可能となる。
【００７３】
（第４の実施形態）
以下に、第４の実施形態に係る投球トレーニング用具の構造について説明する。なお、ここでは、第３の実施形態と異なる点について主に説明する。
【００７４】
図１３は、第４の実施形態に係る投球トレーニング用具の上面図である。図１３に示すように、第３の実施形態に係る投球トレーニング用具は、第３の実施形態に係る投球トレーニング用具と同様に、第１のパッド１６と第２のパッド１７とを含むパッド１と、固定部２とを有している。
【００７５】
第４の実施形態に係る投球トレーニング用具においては、第３の実施形態に係る投球トレーニング用具と同様に、第１のパッド１６に凸部１６ｃが設けられている。第４の実施形態に係る投球トレーニング用具においては、第３の実施形態に係る投球トレーニング用具と同様に、第２のパッド１７に凹部１７ｃが設けられている。
【００７６】
しかしながら、第４の実施形態に係る投球トレーニング用具は、第１のパッド１６及び第２のパッド１７が硬質部材１８を有している点において、第３の実施形態に係る投球トレーニング用具と異なっている。
【００７７】
図１４は、図１３のＸＩＶ−ＸＩＶ断面における断面図である。図１４に示すように、硬質部材１８ａは、第１のパッド１６の上面１６ａ側に設けられている。なお、硬質部材１８ａは、上面１７ａ側全体に設けられている必要はない。硬質部材１８ａは、凸部１６ｃが形成されている領域に設けられていればよい。硬質部材１８ａは、内部部材１４ａより硬度が高い。硬質部材１８ａには、例えば木材、熱硬化性樹脂、金属等が用いられる。
【００７８】
図１５は、図１３のＸＶ−ＸＶ断面における断面図である。図１５に示すように、硬質部材１８ｂは、第２のパッド１７の上面１７ａ側に設けられている。なお、硬質部材１８ｂは第２のパッド１７の上面１７ａ側全体に設けられている必要はない。硬質部材１８ｂは、凹部１７ｃが形成されている領域に設けられていればよい。硬質部材１８ｂは、内部部材１４ｂより硬度が高い。硬質部材１８ｂには、例えば木材、熱硬化性樹脂、金属等が用いられる。
【００７９】
以下に、第４の実施形態に係る投球トレーニング用具の効果について説明する。
第４の実施形態に係る投球トレーニング用具の使用者が適切な投球動作を行えば、凸部１６ｃが凹部１７ｃに嵌り込む。凸部１６ｃが形成されている領域及び凹部１７ｃが形成されている領域においては、硬質部材１８ａ及び硬質部材１８ｂが設けられている。硬質部材１８ａは、内部部材１４ａよりも硬度が高く、硬質部材１８ｂは内部部材１４ｂよりも硬度が高い。
【００８０】
そのため、第４の実施形態に係る投球トレーニング用具の使用者は、凸部１６ｃと凹部１７ｃが嵌り込んだことをより強く体感することができる。すなわち、第４の実施形態に係る投球トレーニング用具の使用者は、自らの投球動作が適切なものであるかを、より確実に体感することが可能となる。
【００８１】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００８２】
１  パッド、１１  パッド本体、１１ａ  上面、１１ｂ  下面、１１ｃ  段差、１２  連結部、１３ａ，１３ｂ  表面部材、１４ａ，１４ｂ  内部部材、１５ａ，１５ｂ  台座部材、１６  第１のパッド、１６ａ  上面、１６ｂ  下面、１６ｃ  凸部、１７  第２のパッド、１７ａ  上面、１７ｂ  下面、１７ｃ  凹部、１８ａ，１８ｂ  硬質部材、２  固定部、２ａ  股関節固定部、２ｂ  腰固定部、ｈ１  本体高さ、ｈ２  段差高さ、Ｈ１  第１の高さ、Ｈ２  第２の高さ、Ｈ３  第３の高さ、Ｈ４  第４の高さ。
【図１】
2017158797.tif 000003
【図２】
2017158797.tif 000004
【図３】
2017158797.tif 000005
【図４】
2017158797.tif 000006
【図５】
2017158797.tif 000007
【図６】
2017158797.tif 000008
【図７】
2017158797.tif 000009
【図８】
2017158797.tif 000010
【図９】
2017158797.tif 000011
【図１０】
2017158797.tif 000012
【図１１】
2017158797.tif 000013
【図１２】
2017158797.tif 000014
【図１３】
2017158797.tif 000015
【図１４】
2017158797.tif 000016
【図１５】
2017158797.tif 000017